(57)【要約】【課題】鍵盤楽器のケース体構造を改良し、設計自由度を高めながら第１ケース部１を他機種でも共通使用とする。【解決手段】非押鍵時に鍵４１の上面４１Ａがに設置面Ｔと平行となるタイプの鍵盤楽器とする。また、押鍵時に鍵の上面が設置面と平行となるタイプの鍵盤楽器とする。第１ケース部１は方下部１５の下面１５１に設けた下に凸の略半球状の脚座３１にて支持し、前後方向における１箇所において設置面Ｔに載置する。鍵支持部１１Ａを第２ケース部２の取り付け部とし、この取り付け部を鍵並び方向に水平とする。かつ楽器前後方向における１箇所となるようにする。鍵支持部１１Ａを構成する嵩上げ部１１を第１ケース部１の底面部１Ａから斜めにかつ後方に嵩上げし、前板１１１ａが斜めになって第１ケース部１の底面部１Ａと前板１１１ａとの境界部分が設置面Ｔに接触しないようにし、タイプの変更を容易にする。【選択図】図９
2010020338.tif 000002
【特許請求の範囲】
【請求項１】
鍵操作される複数の鍵を有した鍵盤を内装した鍵盤楽器のケース体構造において、該ケース体は前記鍵盤と第１の脚座を有した第１ケース部と第２の脚座を有した第２ケース部とに分かれて形成され、該両ケース部を合わせ結合して組み立てるケース体構造であって、
前記第１ケース部はその底面部からの嵩上げによる嵩上げ部を設け、該嵩上げ部は前記各鍵がその基端部で回動自在に支持されるとともに、前記第１ケース部の嵩上げ部と前記第２ケース部の結合部を当接させて、これらを係止手段にて結合するようにし、前記第１および第２の脚座で楽器を支持することを特徴とする鍵盤楽器のケース体構造。
【発明の詳細な説明】
【技術分野】
【０００１】
本発明は、電子楽器等の鍵盤を内装した鍵盤楽器のケース体構造に関し、ケース体を改良した鍵盤楽器のケース体構造に関する。
【背景技術】
【０００２】
従来、鍵盤楽器のケース体としては種々のものがあるが、一般的なケース体は上ケースと下ケースとを重ね合わせるものである。このような技術として、例えば、実用新案登録第２５４５３５３号公報に開示されたものがある。この従来の技術は、異機種の鍵盤楽器において下部ケースを共通化しうるようにする技術であり、下ケースより僅かに大きな上ケースを該下ケースに嵌合して覆うようにしたものである。
【先行技術文献】
【特許文献】
【０００３】
【特許文献１】実用新案登録第２５４５３５３号公報
【発明の概要】
【発明が解決しようとする課題】
【０００４】
上記従来の技術でも、ある程度のコスト低減にはなるが、デザイン的、または構造的にかなりの制約があった。例えば、異機種で共通使用とする下ケースのサイズが決められるが、例えば楽器の前後方向を小さくしてコンパクトな楽器を得ようとして上ケースを小さくしたい場合でも、上ケースを下ケースより小さくすることはできない。また下ケースを小さくしておくことも考えられるが、上ケースを大きくしたい機種では、上下の差があまりない場合はよいとしても、上ケースに比べて下ケースがあまり小さいと安定性に問題がある。
【０００５】
また、上ケースの上面である上面パネル部を斜めにすることが多いが、その斜めの度合い（水平も含む）を機種によって変えたい場合もある。この場合、上ケースの上面の角度を変えて他機種に対応させればよいように思われるが、上下ケースを結合するネジなどの結合部分の安全性や強度の点で困難性がある。一般に上ケースの上面にはネジが一切露出しないようにするので、下から上にネジ止めする必要がある。この場合、上ケース裏面に形成するネジ孔は金型のアンダーカットを回避するために上面パネルに直角方向とするのが一般である。このため、上面パネル部の傾きを変えるとネジ孔の傾きも変わるため、下ケースからネジを通す孔の角度も変える必要があり、異機種対応とするのが困難になる。
【０００６】
そこで、上ケースのネジ孔を前後方向に長手方向となる長孔にしてネジとの相対的な角度の違いを吸収して取り付けるようにもできるが、この場合、上ケースと下ケースの取り付け時に精度が出ないという問題がある。特に、多くの箇所で固定すると固定箇所同士でバラツキが生じたり、ケースに歪みが生じるなどの問題がある。
【０００７】
このような問題は、下ケースと上ケースとを固定する互いの固定構造から生じるものであり、この固定構造に改良の余地がある。
【０００８】
本発明は、上記の点に鑑みて成されたものであり、鍵盤楽器において、少なくとも上ケースと下ケースとを取り付け固着する構造を改良し、ケース体のデザイン的、構造的な制約を低減して、下ケースを異機種で共通化できるようにすることを課題とする。
【課題を解決するための手段】
【０００９】
請求項１の鍵盤楽器のケース体構造は、鍵操作される複数の鍵を有した鍵盤を内装した鍵盤楽器のケース体構造において、該ケース体は前記鍵盤と第１の脚座を有した第１ケース部と第２の脚座を有した第２ケース部とに分かれて形成され、該両ケース部を合わせ結合して組み立てるケース体構造であって、前記第１ケース部はその底面部からの嵩上げによる嵩上げ部を設け、該嵩上げ部は前記各鍵がその基端部で回動自在に支持されるとともに、前記第１ケース部の嵩上げ部と前記第２ケース部の結合部を当接させて、これらを係止手段にて結合するようにし、前記第１および第２の脚座で楽器を支持することを特徴とする。
【００１０】
なお、好適な他の例として、第１ケース部と第２ケース部とを有し、これら複数のケース部を結合して１つのケース体として構成するケース体構造であって、第１ケース部は鍵盤を保持した単一種の基本ケース部とし、第２ケース部は少なくとも下部を有するケース部であって、基本ケース部の底面部からの嵩上げによる嵩上げ部に鍵支持部を構成し、鍵支持部において鍵盤の各鍵をその基端部で支持する。そして、第２ケース部の結合部を、鍵支持部が構成される嵩上げ部の結合保持部にて結合することで、この基本ケース部と第２ケース部とを結合した種々の拡張ケース体を構成するようにした。
【００１１】
また、ケース体を第１ケース部と第２ケース部とを合わせ結合して１つのケース体として組み立てるケース体構造であって、第１ケース部の底面部からの嵩上げによる嵩上げ部に鍵支持部を設け、第２ケース部に嵩上げ部の反対面部に嵌合する結合部を設け、反対面部に結合部を当接させて係止手段にて第１ケース部と第２ケース部とを結合するようにした。これにより、係止手段にて第１ケース部、第２ケース部、鍵盤を固着するので、ネジ等の共締めによる組立簡素化という作用効果が得られる。
【００１２】
また、鍵盤を内装した第１ケース部と鍵盤の後方を覆う第２ケース部とにて分かれて形成され、両ケース部を合わせ結合して組み立てるケース体構造であって、第１ケース部の底面部からの嵩上げによる嵩上げ部に鍵支持部を設け、第２ケース部は下部と背面部と上面部とを有する構成とするとともに、第２ケース部に前記嵩上げ部の裏面部に嵌合する結合部を設け、第１ケース部の嵩上げ部の裏面部に第２ケース部の結合部を当接させて係止手段にて第１ケース部、第２ケース部、鍵盤を固着するようにした。これにより、係止手段にて第１ケース部、第２ケース部、鍵盤を固着するので、ネジ等の共締めによる組立簡素化という作用効果が得られる。さらに、第２ケース部の下部と背面部と上面部とで後部ケースを構成することができ、この後部ケースにおいて任意にデザインや構造を変えることができる。
【００１３】
また、ケース体を鍵盤を有した第１ケース部と第２ケース部とを合わせ結合して組み立てるケース体構造であって、第２ケース部は下部と背面部と上面部と当該３部で構成される凹部を有する構成とし、第１ケース部の底面部からの嵩上げによる嵩上げ部に鍵支持部を設け、第２ケース部は鍵支持部の下面部に嵌合する結合部を有する構成とし、両ケース部の組合せ時に、第１ケース部の鍵支持部の下面部に第２ケース部の結合部を当接させつつ、第２ケース部を第１ケース部に対して押鍵方向に回転させ、上面部が第１ケース部の上面に位置する位置で係止手段にて第１ケース、第２ケース、及び鍵盤を固着するようにした。これにより、第２ケース部の下部と背面部と上面部とで後部ケースを構成することができ、この後部ケースにおいて任意にデザインや構造を変えることができるとともに、凹部内にスピーカなどを収容することができ、また、第２ケース部を押鍵方向に回転して第１ケース部に配置及び固定でき、回転により組み付けが容易となる。
【００１４】
また、鍵盤を内装し複数のケース部を結合して組み立てるケース体構造であって、基本ケース部を底面部に鍵盤が対向保持された単一種のケース部にて構成し、さらに、基本ケース部を、底面部からの立ち上がり部と、その上部の鍵支持部と、該鍵支持部の下面の結合保持部とを有する構成とし、他のケース部は、前記立ち上がり部に対向する対向面を有した壁部と、この壁部の上部の結合部とを備えた構成とし、結合保持部と結合部とを連結して種々の拡張ケース体を構成し、ケース体を組み立てた時、前記立ち上がり部と前記対向面とが接近して対向するようにした。これにより、ケース体を組み立てた時、基本ケース部の立ち上がり部と他のケース部の壁部の対向面とが接近して対向し、この立ち上がり部と壁部とが、演奏時に一番力がかかるところに鍵並び方向の複数の縦リブを構成するので、鍵支持部を補強してさらに堅牢にすることができる。なお、この立ち上がり部と壁部の対向面とは平行でなくてもよい。また、「接近して対向する」とは、例えば５０ｍｍ程度以内の距離であればよい。
【００１５】
また、複数のケース部を結合して１つのケース体として構成するケース体構造であって、１つのケース部は鍵盤を保持した単一種の基本ケース部とし、基本ケース部の底面部から斜めかつ後方への嵩上げによる嵩上げ部に鍵支持部を構成し、他のケース部の結合部を、鍵支持部が構成される嵩上げ部の結合保持部にて結合することで、この基本ケース部と他のケース部とを結合した種々の拡張ケース体を構成するようにした。これにより、鍵支持部を構成する嵩上げ部が基本ケース部の底面部から斜めにかつ後方に嵩上げされているので、例えば、基本ケース部の後方に取り付けられる他のケースの高さを異ならせることにより、該取り付け部の高さが変わるので、基本ケース部の傾斜を変えて、鍵盤の傾斜角度の異なるような異機種楽器に容易に対応することができ、このとき、基本ケース部の底面部と嵩上げ部との境界部分が設置面と干渉（接触）するのを防止することができ、容易に様々な機種の楽器が得られる。
【００１６】
また、複数のケース部を結合して１つのケース体として構成するケース体構造であって、基本ケース部は、鍵盤を保持した単一種のケース部にて構成するとともに、鍵支持部とこの下面に結合保持部とを有する構成とし、他のケース部は、結合保持部に接続される結合部を下部前方に有する第１フレームと鍵盤の後部上面を覆う第２フレームとで構成し、結合保持部と結合部とを連結すること、及び第１フレームと第２フレームとを連結する連結手段にて連結することにて種々の拡張ケース体を構成するようにした。これにより、他のケース部は第１フレームと第２フレームとで構成されるので、基本ケース部の後方の下ケース部となる第１フレームと、上ケースとなる第２フレームとを、それぞれ型成形等により形成するのが容易となる。
【００１７】
また、上記構成において、ケース体を樹脂で形成し、連結手段は薄肉のヒンジ部にて両フレームに一体に形成するようにした。これにより、上記構成の作用効果に加えて、第１フレームと第２フレームとを薄肉のヒンジ部で連なった状態で開くことができるので、この第１フレームと第２フレームとを同時に型成形することができ、製造が容易になる。
【００１８】
また、複数のケース部を結合して１つのケース体として構成するケース体構造であって、１つのケース部は鍵盤を保持した単一種の基本ケース部とし、基本ケース部の底面部からの嵩上げによる嵩上げ部に鍵支持部を構成するとともに、この基本ケース部は前後方向における１箇所にて設置面に支持されるよう構成し、他のケース部の結合部を、鍵支持部が構成される嵩上げ部の結合保持部にて結合することで、この基本ケース部と他のケース部とを結合した種々の拡張ケース体を構成するようにした。これにより、基本ケース部は前後方向における１箇所において設置面に支持される。また、前記同様に鍵を支持する鍵支持部が他のケース部の取り付け（固着）部となる。すなわち、この取り付け部は鍵並び方向に水平となり、かつ楽器前後方向における１箇所となる。したがって、基本ケース部の後方に取り付けられる他のケースの高さを異ならせることにより該取り付け部の高さが変わるので、基本ケース部の角度が変わり、鍵盤の上面が非押鍵時に水平となるような楽器、鍵盤の上面が押鍵時に水平となるような楽器など、鍵盤の傾斜角度の異なるような異機種楽器に容易に対応することができる。
【００１９】
また、上記構成において、他のケース部のを脚座にて設置面に支持するようにした。これにより、他のケース部のケース本体を変更しなくても脚座の高さを異ならせるだけで上記構成と同様な作用効果がえられる。なお、脚座は他のケースのケース本体と一体に構成してもよいし、別途取り付けるように構成してもよい。
【００２０】
また、上記格構成において、他のケース部あるいは第２ケース部の結合部に貫通孔を設け、この貫通孔に嵌挿する結合手段にて、当接部を、基本ケース部あるいは第１ケース部の鍵支持部と反対側の下面と結合させるようにした。これにより、他のケース部あるいは第２ケース部のの結合部に設けた貫通孔に結合手段を嵌挿して、当接部を、基本ケース部あるいは第１ケース部の鍵支持部と反対側の下面と結合するので、他のケース部と基本ケース部及び鍵の基端部を、あるいは第２ケース部と第１ケース部及び鍵の基端部を、貫通孔と結合手段で規定される所定の位置にそれぞれ保持し、固着することができる。
【００２１】
なお、鍵盤楽器において、鍵盤は下ケース部に取り付けられる、あるいは、下ケース部の中間部から前部に鍵盤を配置することになるので、下ケース部前端部から鍵長さ程の位置において鍵を支持する構造となる。すなわち、鍵盤楽器では、最小限、鍵盤前後幅程度の下ケース部前部と鍵盤とがあり、その他、鍵盤前後幅程度の下ケース部前部よりも後方の部分や上ケース部のサイズを、下ケース部前部より奥にどれだけ設けるかが、デザイン、機種によって変わってくる。また、鍵盤は異機種でも略同一、あるいは、鍵盤は異機種共通としているので、この鍵盤を支持する鍵支持部も異機種で共通になる。すなわち、異機種で共通となる鍵盤を支持する部位を、複数ケースの互いの固定部とすることにより、単一種のケース部と複数種の１つのケース部とで特定種のケース構造体を形成し、単一種のケース部と複数種の他の１つのケース部とで特定種以外のケース構造体を形成形するのが、きわめて容易になる。
【００２２】
したがって、上記構成のように、基本ケース部または第１ケース部を下ケース部とし、鍵を支持する鍵支持部を、他のケース部または第２ケース部の結合部分（または固着部分）とすることにより、複数機種（複数デザイン）への対応がきわめて容易になる。また、鍵支持部及び鍵盤の基端部は、動的な鍵盤を支持する部位であるので堅牢な構成になっており、両ケース部を堅牢に固定することができる。
【発明の効果】
【００２３】
請求項１によれば、後述第４実施形態及び第５実施形態のように、第１ケース部の後方に取り付けられる第２ケース部の後ケース（図１０の二点差線）の高さを異ならせることにより、鍵支持部（取り付け部）の高さが変わる。したがって、第１ケース部の傾斜を変えて鍵盤の傾斜角度を異ならせることができる。また、複数機種（複数デザイン）への対応がきわめて容易になるとともに、鍵支持部及び鍵盤の基端部において、両ケース部を堅牢に固定することができる。
【００２４】
また、鍵支持部を構成する嵩上げ部が第１ケース部の底面部から斜めにかつ後方に嵩上げされ、前板が斜めになって第１ケース部の底面部と前板との境界部分が設置面に接触しないので、タイプの変更が容易にできる。このように、両実施形態において第１ケース部は同一の部材であり、第５実施形態の後ケースの高さを第４実施形態の後ケースより低くするだけで、両タイプの鍵盤楽器が実現できる。
【図面の簡単な説明】
【００２５】
【図１】本発明の第１実施形態の鍵盤楽器の側断面図及び第２ケース部の一部破断斜視図である。
【図２】第１実施形態の鍵盤楽器の一部破砕側面図である。
【図３】第１実施形態の鍵盤楽器の外観斜視図である。
【図４】実施形態に係るヒンジ構造の一例を示す図である。
【図５】本発明の第２実施形態の鍵盤楽器の側断面図である。
【図６】本発明の第３実施形態の鍵盤楽器の側断面図である。
【図７】第３実施形態における後ケースの展開した状態を示す図である。
【図８】実施形態における上ケース部分と下ケース部分とを分離した場合の係合部の一例を示す図である。
【図９】本発明の第４実施形態の鍵盤楽器の側断面図である。
【図１０】本発明の第５実施形態の鍵盤楽器の側断面図である。
【図１１】本発明の実施形態に係る嵩上げ部と結合部の他の固着例を示す図である。
【発明を実施するための形態】
【００２６】
以下、図面を参照して本発明に関連する実施形態及び本発明の実施形態（第４及び第５実施形態）について説明する。なお、この明細書において、鍵盤楽器及びケース体の「上下左右」を指す場合、演奏時の演奏者側（鍵盤側）から見た正立状態の「上下左右」とする。また、「前後方向を指す場合、演奏者側を「前、手前」、背面側を「後、奥」とする。
【００２７】
図１は第１実施形態の鍵盤楽器の側断面図（(A) 図）及び第２ケース部２の一部破断斜視図（(B) 図）である。図２は同第１実施形態の鍵盤楽器の一部破砕側面図であり、図１(A) は第２ケース部２を第１ケース部１に固着した状態を示し、図２は組立過程の一状態を示している。また、図３は同第１実施形態の鍵盤楽器の外観斜視図であり、図１(A) は図３のＩ−Ｉ矢視断面に、図２は図３のII−II矢視断面に対応してる。なお、図１(A) 及び図２の図面に直交する方向が鍵並び方向である。この鍵盤楽器のケース体は、硬質の合成樹脂で金型成型により形成された第１ケース部１と第２ケース部２とで構成されている。この第１ケース部１は「基本ケース部」でもある。
【００２８】
第１ケース部１は、その後方部に鍵盤４側に嵩上げした嵩上げ部１１を有する。この嵩上げ部１１は、「立ち上がり部」としての前板１１ａを底面部１Ａから立ち上げ、その上端から支持板部１１ｂを後方に延ばし、さらに後板１１ｃを下に形成し、鍵並び方向に該鍵盤楽器の略全長にわたって延設されている。これにより、嵩上げ部１１は「逆さ樋状の凸面部」を形成し、この嵩上げ部１１の支持板部１１ｂの上面が鍵支持部１１Ａとなっている。また、前板１１ａ、支持板部１１ｂ及び後板１１ｃで囲われた部分が、嵩上げ部１１の凸面部の反対面である「凹面部」を構成している。
【００２９】
第１ケース部１の前端部には底面部１Ａから立ち上げて前部にせり出し、湾曲して下方に下がるように前フレーム部１３が鍵並び方向に形成されている。この前フレーム部１３の左右両端部には、図２に示したように、底面部１Ａ側から内部を中空とされ先端に透孔１３ａ１を有するボス１３ａが形成されている。なお、第１ケース部１の前方側には、鍵並び方向に該鍵盤楽器の略全長にわたって延設されたストッパ部１４が形成されている。ストッパ部１４の上にはフェルト等のクッション部材１４ａが取り付けられ、これを含めてストッパ体という。また、第１ケース部１のストッパ部１４と前フレーム１３の間には脚座３１が形成されている。この脚座３１は円柱形状または半球型で形成してよい。
【００３０】
第２ケース部２は、鍵並び方向に略楕円柱の筒状をなす後ケース２１を有し、この後ケース２１は垂直断面が略Ｕ字状（図２参照）の下部２１ａと、垂直断面が円弧面状の背面部２１ｂと、平面状の上面部２１ｃとを有し、これらの３部２１ａ，２１ｂ，２１ｃにより第２ケース部内部に形成される凹部２１Ａを構成する。また、下部２１ａの背面部２１ｂと反対側の上部には、嵩上げ部１１の裏面部（鍵支持部１１Ａの下面部）１１Ｂに嵌合する結合部２３が形成されている。
【００３１】
結合部２３は、嵩上げ部１１の前板（立ち上がり部）１１ａに対向する対向面２３Ａを有する壁部２３ａと、この壁部２３ａの上端から凹部２１Ａ側に水平に屈曲した水平部２３ｂとを有する。また、図１(B) に示すように、結合部２３には、鍵並び方向の数カ所に水平断面Ｕ字状の縦溝２３ｃが形成され、この縦溝２３ｃの上端には水平部２３ｂと面一にされた固定座２３ｄが形成されている。そして、水平部２３ｂと固定座２３ｄは嵩上げ部１１の裏面部１１Ｂに当接する「当接部」を形成しており、固定座２３ｄには貫通孔２３ｄ１が形成されている。なお、縦溝２３ｃの部分は凹部２１Ａ側から見ると縦の畝状に見える。
【００３２】
後ケース２１の上面部２１ｃの裏側には、固定座２３ｄに対応する鍵並び方向の数カ所にこの固定座２３ｄと所定間隔を隔てた固着ネジ止め用の押さえボス２１ｈが形成されている。また、第２ケース部２は、後ケース２１の左右両端から前方に突出する腕部２２を有し、この腕部２２の先端部内側にはネジ止めボス２２ａ（図２参照）が形成されている。このネジ止めボス２２ａは、第１ケース部１の左右両先端のボス１３ａの透孔１３ａ１に当接する位置にある。また、後ケース２１の下部２１ａの下端部には脚座３２が形成されている。なお、この脚座３２、第１ケース部１の脚座３１はそれぞれケース本体と一体に構成してもよいし、別途取り付けるように構成してもよい。
【００３３】
第１ケース部１には鍵盤４が内装されており、この鍵盤４は、鍵（白鍵及び黒鍵）４１を複数鍵配設したものである。鍵４１は後方側の基端部４１ａにおいて第１ケース部１の鍵支持部１１Ａに取り付けられている。また、鍵４１には基端部４１ａから延びる弾性を有する薄板状のヒンジ部４１ｂが形成されており、鍵４１は基端部４１ａを略支点として揺動可能になっている。鍵４１の押鍵方向は図において反時計回り方向であり、鍵操作時のキーオン／やキーオフは回路基板５のキースイッチ５１で検出される。また、押鍵時にはストッパ当接片４１ｃがクッション部材１４ａに当接し、離鍵時には、ストッパ当接片４１ｃが回路基板５のクッション部５３に当接する。
【００３４】
この第１実施形態の鍵盤楽器は以下のようにして組み立てられる。図２に示したように、第１ケース部１の鍵支持部１１Ａ（支持板部１１ｂ）の上に鍵盤４の基端部４１ａを図示しない位置決め手段により位置決めして取り付ける。嵩上げ部１１の鍵支持部１１Ａの裏面部１１Ｂに第２ケース部２の結合部２３の水平部２３ｂ及び固定座２３ｄを当接させ、そのまま第２ケース部２を、第１ケース部１に対して押鍵方向（反時計回り）に回転させて、上面部２１ｃが第１ケース部１の略上面に位置する位置で止める。このとき、第２ケース部２の腕部２２の先端部のネジ止めボス２２ａが第１ケース部１の左右両先端のボス１３ａの透孔１３ａ１に当接する。また、第２ケース部２の押さえボス２１ｈが鍵盤４の基端部４１ａの上に当接する。
【００３５】
次に、図１に示したように、後ケース２１の固定座２３ｄの貫通孔２３ｄ１にネジＮ１を嵌挿し、このネジＮ１で鍵４１の基端部４１ａの長孔内を貫通する。そして、ネジＮ１を後ケース２１の押さえボス２１ｈにネジ止めする。また、第１ケース部１の左右両先端のボス１３ａ（図２）の透孔１３ａ１にネジを通し、腕部２２の先端部のネジ止めボス２２ａにネジ止めする。上記固定座２３ｄ、押さえボス２１ｈ及びネジＮ１が「係止手段」の一例である。また、ネジＮ１が「結合手段」の一例である。
【００３６】
以上の実施形態に示した第２ケース部２は多重スライドコアを用いて一体成形したものであるが、一部はブロー成形でもよい。またスライドコアを抜くためのスリットがあってもよく、この場合、そのスリットを第２ケース部２内に収納するスピーカの放音孔として兼用してもよい。さらに、第２ケース部２は、全部一体成形ではなく、上下半分ずつを一体成形した後で、接着剤及びまたはネジ等にて一体形に成形して、第１ケース部と第２ケース部とを組み立てるようにしてもよい。
【００３７】
また、成形方法として次のような方法でもよい。図１に三角矢印ＡまたはＢ、あるいはＡ及びＢで示した箇所で鍵並び方向にヒンジ構造を採用し、この後ケース２１を、Ａから上面部２１ｃ側のパーツ、ＡとＢの間のパーツ、Ｂから結合部２３側のパーツの、３つのパーツをヒンジ構造により展開自在に形成する。
【００３８】
図４はこのヒンジ構造の一例を示す図であり、図４(A) は開いた状態、図４(B) は閉じた状態を示している。パーツＰ１とパーツＰ２の連結部分は当該パーツＰ１，Ｐ２（後ケース２１）を成形するときに溝を形成して薄肉にしたものである。また両パーツＰ１，Ｐ２にはヒンジ部Ｈを挟んで対向するブロックＢ１，Ｂ２を形成し、両ブロックＢ１，Ｂ２に軸を合わせたネジ孔Ｂ１１，Ｂ２１を形成し、貫通したネジ孔Ｂ２１を有するパーツＰ２にネジ孔Ｂ２１にネジｎ１を挿入可能なように切り欠き部Ｐ２１を形成する。そして、図４(B) の閉じた状態でブロックＢ１，Ｂ２を付け合わせ、ネジｎ１によりネジ孔Ｂ１１，Ｂ２１で両パーツＰ１，Ｐ２を固定する。このようなブロックＢ１，Ｂ２の構造を後ケース２１の鍵並び方向に例えば１０〜２０ｃｍ毎に１つづつ形成しておく。これにより、展開状態により後ケース２１の金型成形が容易になる。なお、後ケース２１を構成するパーツＰ１とパーツＰ２が「第１フレーム」及び「第２フレーム」の一例であり、パーツＰ１とパーツＰ２とを連結する溝状の薄肉部分からなるヒンジ部Ｈが「連結手段」の一例である。
【００３９】
図５は第２実施形態の鍵盤楽器の側断面図であり、第１実施形態と同様な要素には図１及び図２と同符号を付記して詳細な説明は省略する。また、第１実施形態と対応する要素には同符号に「′」を付記する。この第２実施形態では、後ケース２１′の凹部２１Ａ′内の左右２箇所にスピーカ１０を配設するようにしている。後ケース２１′は、下部２１ａ′の背面部２１ｂ′と反対側の上部に、嵩上げ部１１の裏面部（鍵支持部１１Ａの下面部）１１Ｂに嵌合する結合部２３′を有する。この結合部２３′は、壁部２３ａ′とこの壁部２３ａ′の上端から凹部２１Ａ′の外側に向けて水平に屈曲した水平部２３ｂ′とを有し、垂直断面が略Ｌ字形をしている。また、鍵並び方向の数カ所において、壁部２３ａ′の対向面２３Ａ′と水平部２３ｂ′の下面とを連結するリブ２３ｅ′が形成されており、このリブ２３ｅ′により壁部２３ａ′と水平部２３ｂ′の構造を堅牢にしている。
【００４０】
水平部２３ｂ′は嵩上げ部１１の裏面部１１Ｂに当接する「当接部」を形成しており、水平部２３ｂ′には貫通孔２３ｂ１′が形成されている。また、壁部２３ａ′の対向面２３Ａ′は嵩上げ部１１の前板（立ち上がり部）１１ａに対して略５０ｍｍほど離れて対向しており、この壁部２３ａ′と前板１１ａとが、鍵並び方向の２つの縦リブを構成している。これにより、演奏時に一番力がかかる鍵支持部１１Ａを補強してさらに堅牢になっている。
【００４１】
この第２実施形態における組み立て方は第１実施形態と同様であり、鍵支持部１１Ａの裏面部１１Ｂに結合部２３′（その水平部２３ｂ′）を当接させたまま第２ケース部２′を押鍵方向（図における反時計方向）に回転させて、第１ケース部１と第２ケース部２′を位置決めして組み付ける。そして、第１ケース部１に対して第２ケース部２′を固着するとき、該結合部２３′において、ネジＮ１を貫通孔２３ｂ１′に嵌挿し、鍵４１の基端部４１ａ及び上面部２１ｃ′の裏面に形成された押さえボス２１ｈ′にネジ止めする。
【００４２】
この第２実施形態の後ケース２１′は、背面部２１ｂ′の矢印Ａで示した箇所で鍵並び方向に前記図４で説明したヒンジ構造を採用している。この後ケース２１′の組立時には、ヒンジ部分を開いた状態で下部２１ａ′または背面部２１ｂ′のいずれか一方にスピーカ１０を仮止めして固定し、そのヒンジ部分を図４(B) のように閉じた状態でネジｎ１（図４(B) ）でネジ止め固定する。そして、スピーカ１０を背面部２１ｂ′または下部２１ａ′の裏面にネジ止めする。このネジ止めには、結合部２３′の壁部２３ａ′に貫通孔を形成してその貫通孔からドライバ等を凹部２１Ａ′内に挿入してネジ止めしてもよいし、後ケース２１′の外側からネジ止めしてもよい。なお、下部２１ａ′及び背面部２１ｂ′のスピーカ対向部分には放音孔２１ｐ′が形成されている。このように後ケース２１′のヒンジ構造部分を左右２箇所の２つのスピーカ１０で固定及び補強をしている。
【００４３】
すなわち、第２ケース部２′を、上記のような構造体に形成することで、スライドコアなしの上下金型のみにて第２ケース部２′を構成できる。そしてスピーカ１０によって後ケース２１′を縦断面略Ｃ字状に組み立てた後、押鍵方向（図における反時計方向）に第２ケース部２′を回転して、第１ケース部１に重ねて組み立てることができる。
【００４４】
図６は第３実施形態の鍵盤楽器の側断面図であり、第１実施形態と同様な要素には図１と同符号を付記して詳細な説明は省略する。また、対応する要素には同符号に「″」を付記する。この第３実施形態の後ケース２１″は、水平に前後に幅広の下部２１ａ″と、その後方に立ち上がる背面部２１ｂ″と、下部２１ａ″と略平行に対向する上面部２１ｃ″とを有している。このように、この第３実施形態の鍵盤楽器は、後ケース２１″を第１実施形態よりも後方側に幅を広くしたタイプの鍵盤楽器であり、スピーカ１０は上面部２１ｃ″の裏面に上向きに取り付けられている。
【００４５】
後ケース２１″の下部２１ａ″の前方側には、第１実施形態と同様に、結合部２３″が形成されており、結合部２３″は、対向面２３Ａ″を有する壁部２３ａ″、水平部２３ｂ″、縦溝２３ｃ″、固定座２３ｄ″で構成されている。そして、この第３実施形態で、ネジＮ１により固定座２３ｄ″の貫通孔２３ｄ１″において第１ケース部１に第２ケース部２″を固着する方法は第１実施形態と同じである。
【００４６】
この第３実施形態の後ケース２１″は後方に幅が広いので下部２１ａ″の裏側と上面部２１ｃ″の裏側に井桁状の補強リブ２１ａ１″，２１ｃ１″（図７）が形成されている。また、背面部２１ｂ″においてその内部上下に補強ボス２１ｊ″，２１ｋ″を備えている。下側の補強ボス２１ｋ″にはネジ止め孔２１ｎ″と透孔２１ｍ″が形成されており、ネジ止め孔２１ｎ″から透孔２１ｍ″にネジＮ３を挿入し、このネジＮ３で上側の補強ボス２１ｋ″にネジ止めして、補強ボス２１ｊ″，２１ｋ″を固着することで、後ケース２１″の縦断面を略Ｃ字状に成形できる。その後の組立ては、第２実施形態と同様である。また、この第３実施形態の後ケース２１″も図４で説明したヒンジ構造を採用している。図７は後ケース２１″をヒンジ部分で展開した状態を示す図であり、図では金型成形時の金型及びスライドコアの抜き方向を矢印で示してある。
【００４７】
なお、この第３実施形態における結合部２３″の構造を、第２実施形態における結合部２３′の構造に代えてもよいことはいうまでもない。
【００４８】
また、第１実施形態の変形例、第２実施形態及び第３実施形態のようなヒンジ構造を採用せずに、このヒンジ構造で連結されている部分で上下に分割した、上ケース部分と下ケース部分という構造にしてもよい。この場合、例えば図８に示したように、上ケース部分２１Ｕの縁２１Ｕ１を下ケース部分２１Ｄの縁２１Ｄ１よりも僅かに外にはみ出すようにして、上ケース部分２１Ｕの内側にリブ２１Ｕ２を形成し、このリブ２１Ｕ２に下ケース部分２１Ｄの縁２１Ｄ１を係合させて上下を組み付けるようにするとよい。なお、この場合、図示しないボス等の部分で上下をネジ止めする。
【００４９】
図９は第４実施形態の鍵盤楽器の側断面図、図１０は第５実施形態の鍵盤楽器の側断面図であり、この第４実施形態及び第５実施形態と第１実施形態との違いは以下のおとりである。第４及び第５実施形態における嵩上げ部１１の前板１１１ａが、底面部１Ａから斜めにかつ後方に嵩上げされている点と、第５実施形態における第２ケース部２の後ケース２１１の高さが第１実施形態（及び第４実施形態）の後ケース部２１より低い点である。その他の点は第１実施形態と同様であり、同様な部分は詳細な説明を省略する。以下、第４及び第５実施形態における前板１１１ａと第５実施形態における後ケース２１１のみの符号を第１実施形態と符号を変えて説明する。
【００５０】
図９の第４実施形態は、非押鍵時（図９の状態のとき）に鍵４１の上面４１Ａがに設置面Ｔと平行となるタイプの鍵盤楽器の例である。図１０の第５実施形態は二点鎖線で示した押鍵時に鍵４１Ａの上面が設置面Ｔと平行となるタイプの鍵盤楽器である。
【００５１】
この第４及び第５実施形態において、第１ケース部１は前方下部１５の下面１５１に設けた下に凸の略半球状の脚座３１にて支持され、前後方向における１箇所（図示の部分）において設置面Ｔに載置される。また、鍵支持部１１Ａが第２ケース部２の取り付け部となり、この取り付け部（鍵支持部１１Ａ）は鍵並び方向に水平となり、かつ楽器前後方向における１箇所となる。したがって、第１ケース部１の後方に取り付けられる第２ケース部２の後ケース２１（図１０の二点差線），２１１の高さを異ならせることにより、鍵支持部１１Ａ（取り付け部）の高さが変わる。したがって、第１ケース部１の傾斜を変えて鍵盤４の傾斜角度を異ならせることができる。
【００５２】
また、鍵支持部１１Ａを構成する嵩上げ部１１が第１ケース部１の底面部１Ａから斜めにかつ後方に嵩上げされ、前板１１１ａが斜めになって第１ケース部１の底面部１Ａと前板１１１ａとの境界部分が設置面Ｔに接触しないので、タイプの変更が容易にできる。このように、両実施形態において第１ケース部１は同一の部材であり、第５実施形態の後ケース２１１の高さを第４実施形態の後ケース２１より低くするだけで、両タイプの鍵盤楽器が実現できる。
【００５３】
また、第２ケース部２の脚座３２をケース本体と別体で構成して取り付けるようにし、第５実施形態の後ケース２１１に取り付けられる脚座３２の高さを高くすれば、第５実施形態の第２ケース部２（ケース本体）をそのまま変更することなく、第４実施形態のタイプに変更することもできる。
【００５４】
以上のように、各実施形態における第１ケース部１（基本ケース部）は同一の部材であるが、第２ケース部２，２′，２″は各実施形態特有の構造をしている。すなわち、各実施形態において、第１ケース部を共通にした異なる機種の鍵盤楽器の例が示されている。これにより、第１ケース部の共通使用により各機種の鍵盤楽器自体のコストを低減することができる。また、第１ケース部１の前後方向の幅は略鍵盤４の前後幅（鍵４１の長さ程度）となって、サイズが小さなものとなっているので、第２ケース部を小さくすることもできる。また、第２ケース部を大きくする場合も、第１ケース部の後部の空間に第２ケース部によって下後ケースを構成することができ、鍵盤装置自体の安定性を得ることができる。
【００５５】
以上の実施形態では第１ケース部と第２ケース部の構成において、第２ケース部が一体型の場合の他に、前記のように上ケース部分と下ケース部分とからなる上下分離型の例について説明したが、このような上下分離型であっても、上下組み付けて一体にしたものが一つの第２ケース部であることにはかわりはない。
【００５６】
このように第２ケース部が上下分離型であるような場合には、鍵盤楽器の下ケースのうち、鍵支持部近傍より前側になる下前ケースを第１ケース部とし、その後方側の下後ケースを第２ケース部の一部とし、さらに下前ケースと下後ケースを覆う上ケースをさらに第２ケース部の一部とする。そして、下前ケース、下後ケース及び上ケースによりケース体を構成する。そして、下前ケースには前記実施形態と同様な鍵盤を取り付け、下前ケースに対して、前記同様な鍵支持部において下後ケースと上ケースを固着すればよい。
【００５７】
以上の実施形態では、第１ケース部側の鍵支持部１１Ａと第２ケース部側の結合部２３（２３′，２３″）とを固着する際に、ネジＮ１と上面部２１ｃ（２１ｃ′，２１ｃ″）の裏面の押さえボス２１ｈ（２１ｈ′，２１ｈ″）とにより鍵盤の基端部４１ａを上から押圧して固着するようにしているが、結合部２３を嵩上げ部１１に固着する構造として例えば図１１に示すものでもよい。なお、図１１において、前記実施形態と対応する部分に同符号を用いる。
【００５８】
図１１(A) は第１ケース部１の底面部１Ａから前板１１１ａを斜めにかつ後方に嵩上げして形成し、その前板１１１ａの上部において、手前側にボス部１１２を形成するとともにその後部に支持板部１１ｂを後方に延ばし、これらの上面を鍵支持部１１Ａとする。そして、鍵支持部１１Ａに鍵の基端部４１ａを取り付け、さらにボス部１１２において第２ケース部２の結合部２３を楽器の斜め後方側から固着する。
【００５９】
図１１(B) は第１ケース部１の底面部１Ａから前板１１１ａを斜めにかつ後方に嵩上げして形成し、その前板１１１ａの上部において、手前側から支持板部１１ｂを後方に延ばすとともにその後部にボス部１１２を形成し、これらの上面を鍵支持部１１Ａとする。そして、鍵支持部１１Ａに鍵の基端部４１ａを取り付け、さらにボス部１１２において第２ケース部２の結合部２３を楽器の斜め前方側から固着する。
【００６０】
また、前記各実施形態において、第１ケース部１の嵩上げ部１１の前板１１ａ，１１１ａに対して結合部２３，２３′，２３″を後方側から押圧するようにして結合部２３，２３′，２３″を嵩上げ部１１に固着するようにしてもよい。この場合、及び図１１のように斜め後方あるいは斜め前方から固着する場合、第２ケース部２の腕部２２のネジ止めボス２２ａの孔の形状を、前後方向を長手方向とする長孔にする。これにより、第１ケース部１の左右両先端のボス１３ａから下から上に向けてネジにより固定する場合に、結合部２３を後方側からあるいは前方側から押圧することにより生じる前後のズレを吸収することができる。
【００６１】
実施形態では、嵩上げ部を第１ケース部（基本ケース部）の底面部と一体に成形した場合について説明したが、この嵩上げ部は第１には楽器の底面から離れた位置で鍵盤を支持するという機能を持てばよく、底面部に対して別部材により形成した嵩上げ部を別途固着するようにしてもよい。
【符号の説明】
【００６２】
１…第１ケース部（基本ケース部）、１Ａ…底面部、１１…嵩上げ部（逆さ樋状の凸面部）、１１ａ…前板（立ち上がり部）、１１Ａ…鍵支持部、２…第２ケース部、２１…後ケース、２１ａ…下部、２１ｂ…背面部、２１ｃ…上面部、２１Ａ…凹部、２１ｈ…押さえボス（係止手段）、２３…結合部、２３Ａ′…対向面、２３ａ′…壁部、２３ｄ…固定座（当接部）、２３ｄ１…貫通孔、３１，３２…脚座、４…鍵盤、４１…鍵、４１ａ…基端部、Ｎ１…ネジ（係止手段）、Ｐ１…パーツ（第１フレーム）、Ｐ２…パーツ（第２フレーム）、Ｈ…ヒンジ部（連結手段）
【図１】
2010020338.tif 000003
【図２】
2010020338.tif 000004
【図３】
2010020338.tif 000005
【図４】
2010020338.tif 000006
【図５】
2010020338.tif 000007
【図６】
2010020338.tif 000008
【図７】
2010020338.tif 000009
【図８】
2010020338.tif 000010
【図９】
2010020338.tif 000011
【図１０】
2010020338.tif 000012
【図１１】
2010020338.tif 000013